(57)【要約】  干渉調整のための測定方法、送信方法、測定装置、および送信システムが開示される。測定方法は、測定設定情報を取得し、制限付きの測定の測定リソース情報を取得するステップと、測定設定情報および制限付きの測定の測定リソース情報に応じて測定を実行し、測定結果を取得するステップと、測定結果を報告するステップとを含む。送信方法は、受害セルの進化型ＮｏｄｅＢ（ｅＮＢ）が侵害セルのｅＮＢから干渉を受けるとき、強化されたＩＣＩＣ（ｅＩＣＩＣ）要求を侵害セルのｅＮＢに送信すること、および、侵害セルのｅＮＢが受害セルのｅＮＢと侵害セルのｅＮＢとの間でｅＩＣＩＣに適用されるサブフレーム設定情報を決定し、制限付きの測定の測定リソース情報として、決定されたサブフレーム設定情報を受害セルのｅＮＢに送信することを含む。その結果、干渉を受けるＵＥは、正確に測定を実行し、ハンドオーバーの基礎として測定結果を報告することが可能である。
2013540389.tif 000002
【特許請求の範囲】
【請求項１】
測定設定情報を取得し、制限付きの測定の測定リソース情報を取得するステップと、
前記測定設定情報および前記制限付きの測定の測定リソース情報に応じて測定を実行し、測定結果を取得するステップと、
前記測定結果を報告するステップと、
を含む、干渉調整のための測定方法。
【請求項２】
前記制限付きの測定の前記測定リソース情報を取得するステップは、ＴＤＭ（Ｔｉｍｅ  Ｄｉｖｉｓｉｏｎ  Ｍｕｌｔｉｐｌｅｘ、時分割多重化）の強化されたセル間干渉調整（ｅＩＣＩＣ）に適用されるサブフレーム設定情報を含む制限付きの測定リソース情報を取得するステップを含む、請求項１に記載の方法。
【請求項３】
前記測定設定情報を取得するステップは、ブロードキャストメッセージまたはシグナリングを通じて制限なしの測定の設定情報および測定タイプ指示を取得するステップを含み、
前記測定タイプ指示は、制限付きの測定を実行することを指示するために、制限付きの測定を実行するため制限付きの測定の測定リソース情報に対応する特定のリソースを使用する測定指示を使用することと、制限なしの測定を実行することを指示するために、制限なしの測定を実行する測定指示を使用することとを含む、請求項１または２に記載の方法。
【請求項４】
前記測定設定情報を取得するステップは、制限なしの測定の設定情報と測定の開始および停止の指示とを取得するステップを含み、
前記測定の開始および停止の指示は、制限付きの測定の開始および停止の指示、および／または、制限なしの測定の開始および停止の指示である、請求項１または２に記載の方法。
【請求項５】
前記測定結果は、測定タイプまたはイベントタイプによって識別される、請求項１から４のいずれかに記載の方法。
【請求項６】
前記制限付きの測定の測定リソース情報を取得するとき、ブロードキャストメッセージまたはシグナリングを通じて干渉閾値を取得するステップをさらに含む、請求項１から５のいずれかに記載の方法。
【請求項７】
前記測定設定情報および前記制限付きの測定の前記測定リソース情報に応じて測定を実行し、前記測定結果を取得するステップは、
前記測定設定情報に応じて対応する制限なしの測定を実行し、干渉レベルを表す干渉値を取得するステップと、
前記干渉値が干渉閾値以上である場合、ユーザ機器によって、前記測定設定情報に応じて対応する制限なしの測定を実行し、前記制限なしの測定の測定結果を取得するステップと、
を含み、
前記測定結果を報告するステップは、前記制限なしの測定の前記測定結果をサービングセルの基地局に報告するステップを含む、
請求項６に記載の方法。
【請求項８】
前記測定設定情報および前記制限付きの測定の前記測定リソース情報に応じて測定を実行し、前記測定結果を取得するステップは、
前記測定設定情報に応じて対応する制限なしの測定を実行し、干渉レベルを表す干渉値を取得するステップと、
前記干渉値が干渉閾値未満である場合、ユーザ機器によって、前記制限付きの測定の前記測定リソース情報に応じて制限付きの測定を開始するステップと、
を含み、
前記測定結果を報告するステップは、前記制限付きの測定の前記測定結果をサービングセルの基地局に報告するステップを含む、請求項６に記載の方法。
【請求項９】
前記測定設定情報および前記制限付きの測定の前記測定リソース情報に応じて測定を実行し、前記測定結果を取得するステップは、
前記測定設定情報に応じて対応する制限なしの測定を実行し、干渉レベルを表す干渉値を取得するステップと、
前記制限なしの測定を実行し、前記制限なしの測定の測定結果を取得するとき、制限付きの測定を実行し、前記制限付きの測定の測定結果を取得するステップと、
を含み、
前記測定結果を報告するステップは、前記制限なしの測定の前記測定結果および前記制限付きの測定の前記測定結果をサービングセルの基地局に報告するステップを含む、請求項６に記載の方法。
【請求項１０】
前記測定設定情報および前記制限付きの測定の前記測定リソース情報に応じて測定を実行し、前記測定結果を取得するステップは、
前記制限なしの測定を実行し、前記制限なしの測定の測定結果を取得するとき、制限付きの測定を実行し、前記制限付きの測定の測定結果を取得するステップと、
を含み、
前記測定結果を報告するステップは、前記制限付きの測定の前記測定結果だけをサービングセルの基地局に報告するステップを含み、
前記方法は、干渉値が前記干渉閾値以上である場合、ユーザ機器によって、前記測定設定情報に応じて対応する制限なしの測定を実行し、前記制限なしの測定の測定結果を取得し、前記制限なしの測定の前記結果をサービングセルの基地局に報告するステップをさらに含む、請求項６に記載の方法。
【請求項１１】
前記ＵＥによって、前記制限なしの測定を実行するとき、制限付きの測定の測定リソース情報を受信すると、制限付きの測定を開始し、同時に前記制限なしの測定を継続するステップをさらに含む、請求項１０に記載の方法。
【請求項１２】
前記測定設定情報を取得し、前記制限付きの測定の前記測定リソース情報を取得するステップは、
前記測定設定情報および前記制限付きの測定の前記測定リソース情報が近傍受害セルの測定に適用可能であって、受害セル内に位置しているユーザ機器によって、前記受害セルの基地局から測定設定情報を取得し、前記受害セルの前記基地局から前記制限付きの測定の測定リソース情報を取得し、または、侵害セル内に位置しているユーザ機器によって、前記侵害セルの前記基地局から前記測定設定情報を取得し、前記侵害セルの前記基地局から前記制限付きの測定の測定リソース情報を取得するステップを含む、請求項１から１１のいずれかに記載の方法。
【請求項１３】
前記侵害セル内に位置しているユーザ機器によって、前記侵害セルの前記基地局から前記測定設定情報を取得し、前記侵害セルの前記基地局から前記制限付きの測定の前記測定リソース情報を取得するステップの後に、
前記侵害セルの前記基地局が前記測定結果に応じて前記受害セルの前記基地局へのハンドオーバーを決定し、前記受害セルの前記基地局に前記侵害セルの前記基地局の干渉調整のための前記リソースだけについてスケジューリングすることを指令するように、前記侵害セル内に位置している前記ユーザ機器によって、前記近傍受害セルを測定する前記測定結果を前記侵害セルの前記基地局に報告するステップをさらに含む、請求項１２に記載の方法。
【請求項１４】
受害セルの基地局が侵害セルの基地局から干渉を受けるとき、前記侵害セルの前記基地局によって、前記受害セルの前記基地局により送信された強化されたセル間干渉調整（ｅＩＣＩＣ）要求を受信するステップと、
前記侵害セルの前記基地局によって、前記ｅＩＣＩＣ要求に応じて前記受害セルの前記基地局と前記侵害セルの前記基地局との間で適用されるｅＩＣＩＣのためのサブフレーム設定情報を決定し、制限付きの測定の測定リソース情報として、前記ｅＩＣＩＣのため前記決定された適用されるサブフレーム設定情報を前記受害セルの前記基地局に送信するステップと、
を含む、干渉調整のための送信方法。
【請求項１５】
前記ｅＩＣＩＣ要求は、構成された利用可能なサブフレームのうちの一定の割合を含む、請求項１４に記載の方法。
【請求項１６】
前記受害セルの前記基地局が前記ｅＩＣＩＣ要求を前記侵害セルの前記基地局に送信する前に、前記侵害セルの前記基地局によって、ｅＩＣＩＣのための利用可能なサブフレーム設定を前記受害セルの前記基地局に送信するステップをさらに含む、請求項１４または１５に記載の方法。
【請求項１７】
前記侵害セルの前記基地局によって、前記ｅＩＣＩＣ要求に応じて前記受害セルの前記基地局と前記侵害セルの前記基地局との間で適用されたｅＩＣＩＣのための前記サブフレーム設定情報を決定するステップは、
前記侵害セルの前記基地局によって、前記ｅＩＣＩＣのための前記侵害セルの前記基地局で利用可能である前記サブフレーム設定情報に応じて、かつ、前記ｅＩＣＩＣ要求の中で搬送される前記ｅＩＣＩＣサブフレーム設定情報に応じて、前記受害セルの前記基地局と前記侵害セルの前記基地局との間で適用される前記ｅＩＣＩＣのための前記サブフレーム設定情報を決定するステップを含む、請求項１４に記載の方法。
【請求項１８】
前記受害セルの前記基地局が前記侵害セルの前記基地局から干渉を受けるとき、前記侵害セルの前記基地局が前記受害セルの前記基地局によって送信された前記ｅＩＣＩＣ要求を受信する前に、
前記侵害セルの前記基地局によって、前記侵害セルの前記基地局がｅＩＣＩＣをサポートする能力を有するか否かを指示するために指示を前記受害セルの前記基地局に送信し、前記受害セルの前記基地局から前記受害セルの前記基地局がｅＩＣＩＣをサポートする能力を有するか否かを指示する指示を受信するステップをさらに含む、請求項１４から１７のいずれかに記載の方法。
【請求項１９】
前記侵害セルの前記基地局によって、前記受害セルの前記基地局からｅＩＣＩＣのための確認された有用なサブフレーム設定情報を受信するステップをさらに含み、前記受害セルの前記基地局が前記侵害セルの前記基地局からｅＩＣＩＣのため適用されるために決定された前記サブフレーム設定情報を受信した後、ｅＩＣＩＣのための前記確認された有用なサブフレーム設定情報が前記受害セルの前記基地局によって前記侵害セルの前記基地局に送信される、請求項１４から１８のいずれかに記載の方法。
【請求項２０】
前記受害セルの前記基地局が、測定値が事前に設定された閾値を超えていることと検出した場合、前記受害セルが前記侵害セルから干渉を受けると決定するステップをさらに含み、前記測定値は、ユーザ機器によって報告された前記侵害セルの前記基地局に関する測定報告の中に含まれている、請求項１４から１９のいずれかに記載の方法。
【請求項２１】
ｅＩＣＩＣのため決定された前記適用されるサブフレーム設定情報は、サブフレーム設定を使用する開始時間をさらに含む、請求項１４から２０のいずれかに記載の方法。
【請求項２２】
前記ｅＩＣＩＣ要求は、干渉レベルの指示を搬送する、請求項１４から２１のいずれかに記載の方法。
【請求項２３】
測定設定情報を取得し、制限付きの測定の測定リソース情報を取得するために構成されている取得ユニットと、
前記測定設定情報および前記制限付きの測定の測定リソース情報に応じて測定を実行し、測定結果を取得するために構成されている測定ユニットと、
前記測定結果を報告するために構成されている報告ユニットと、
を備える、干渉調整のための測定装置。
【請求項２４】
前記取得ユニットは、ＴＤＭ（Ｔｉｍｅ  Ｄｉｖｉｓｉｏｎ  Ｍｕｌｔｉｐｌｅｘ、時分割多重化）で使用される強化されたセル間干渉調整（ｅＩＣＩＣ）に適用されるサブフレーム設定情報を含む制限付きの測定リソース情報を取得するために具体的に構成されている、請求項２３に記載の装置。
【請求項２５】
前記取得ユニットは、ブロードキャストメッセージまたはシグナリングを通じて制限なしの測定の設定情報および測定タイプ指示を取得するために具体的に構成され、
前記測定タイプ指示は、制限付きの測定を実行することを指示するために、制限付きの測定を実行するために制限付きの測定の測定リソース情報に対応する特定のリソースを使用する測定指示を使用することと、制限なしの測定を実行することを指示するために制限なしの測定を実行する測定指示を使用することとを含む、請求項２３に記載の装置。
【請求項２６】
前記取得ユニットは、制限なしの測定の設定情報と測定の開始および停止の指示とを取得するために具体的に構成され、
前記測定の開始および停止の指示は、制限付きの測定の開始および停止の指示、および／または、制限なしの測定の開始および停止の指示である、請求項２３に記載の装置。
【請求項２７】
前記測定ユニットは、前記測定設定情報および前記制限付きの測定リソース情報に応じて測定を実行し、測定タイプまたはイベントタイプによって識別される前記測定結果を取得するために具体的に構成されている、請求項２３から２６のいずれかに記載の装置。
【請求項２８】
前記取得ユニットは、前記制限付きの測定の測定リソース情報を取得するとき、ブロードキャストメッセージまたはシグナリングを通じて干渉閾値を取得するためにさらに構成されている、請求項２３から２７のいずれかに記載の装置。
【請求項２９】
前記測定ユニットは、前記測定設定情報に応じて対応する制限なしの測定を実行し、干渉レベルを表す干渉値を取得し、前記干渉値を干渉閾値と比較するために具体的に構成され、
前記測定ユニットは、前記干渉値が干渉閾値以上である場合、前記測定設定情報に応じて対応する制限なしの測定を実行し、前記制限なしの測定の測定結果を取得するために構成され、
前記報告モジュールは、前記制限なしの測定の前記測定結果を報告するために具体的に構成されている、請求項２８に記載の装置。
【請求項３０】
前記測定ユニットは、前記測定設定情報に応じて対応する制限なしの測定を実行し、干渉レベルを表す干渉値を取得し、前記干渉値を干渉閾値と比較するために具体的に構成され、
前記測定ユニットは、前記干渉値が干渉閾値未満である場合、前記測定リソース情報に応じて前記制限付きの測定の測定リソース情報に対応する特定のリソースの測定を開始し、前記制限付きの測定の測定結果を取得するために構成され、
前記報告ユニットは、前記制限付きの測定の前記測定結果を報告するために具体的に構成されている、請求項２８に記載の装置。
【請求項３１】
前記測定ユニットは、前記測定設定情報に応じて対応する制限なしの測定を実行し、干渉レベルを表す干渉値を取得し、前記干渉値を干渉閾値と比較するために具体的に構成され、
前記測定ユニットは、前記干渉値が干渉閾値未満である場合、前記制限付きの測定の測定リソース情報に対応する特定のリソースの測定を実行するために構成され、前記対応する制限なしの測定を実行し、前記制限なしの測定の前記測定結果を取得するとき、前記制限付きの測定の結果を取得し、
前記報告ユニットは、前記制限なしの測定の前記測定結果および前記制限付きの測定の前記測定結果を共にサービングセルの基地局に報告するために具体的に構成されている、請求項２８に記載の装置。
【請求項３２】
前記測定ユニットは、前記測定設定情報に応じて対応する制限なしの測定を実行し、干渉レベルを表す干渉値を取得し、前記干渉値を干渉閾値と比較するために具体的に構成され、
前記測定ユニットは、前記干渉値が干渉閾値未満である場合、前記制限付きの測定の測定リソース情報に対応する特定のリソースの測定を実行するために構成され、前記対応する制限なしの測定を実行し、前記制限なしの測定の前記測定結果を取得するとき、前記制限付きの測定の測定結果を取得し、
前記報告ユニットは、前記制限付きの測定の前記測定結果だけをサービングセルの基地局に報告するために具体的に構成されている、請求項２８に記載の装置。
【請求項３３】
前記取得ユニットは、前記受害セルの前記基地局から測定設定情報を取得し、前記受害セルの前記基地局から前記制限付きの測定の測定リソース情報を取得し、または、前記侵害セルの前記基地局から測定の測定設定情報を取得し、前記侵害セルの前記基地局から前記制限付きの測定の測定リソース情報を取得し、近傍受害セルを測定するために前記測定設定情報および前記測定リソース情報を適用するために構成されている、請求項２３から３２のいずれかに記載の装置。
【請求項３４】
受害セルの基地局および侵害セルの基地局を備え、
前記侵害セルの前記基地局は、前記受害セルの前記基地局が前記侵害セルの前記基地局から干渉を受けるとき、前記受害セルの前記基地局により送信された強化されたセル間干渉調整（ｅＩＣＩＣ）要求を受信するために構成され、
前記侵害セルの前記基地局は、前記ｅＩＣＩＣ要求に応じて前記受害セルの前記基地局と前記侵害セルの前記基地局との間で適用されるｅＩＣＩＣのためのサブフレーム設定情報を決定し、制限付きの測定の測定リソース情報として、前記決定されたサブフレーム設定情報を前記受害セルの前記基地局に送信するために構成されている、
干渉調整のための送信システム。
【請求項３５】
前記ｅＩＣＩＣ要求は、構成された利用可能なサブフレームのうちの一定の割合を含む、請求項３４に記載のシステム。
【請求項３６】
前記侵害セルの前記基地局は、前記受害セルの前記基地局が前記ｅＩＣＩＣ要求を前記侵害セルの前記基地局に送信する前に、ｅＩＣＩＣのための利用可能なサブフレーム設定情報を前記受害セルの前記基地局に送信するために構成されている、請求項３４または３５に記載のシステム。
【請求項３７】
前記侵害セルの前記基地局は、ｅＩＣＩＣのための前記侵害セルの前記基地局で利用可能である前記サブフレーム設定情報に応じて、かつ、前記ｅＩＣＩＣ要求の中の前記ｅＩＣＩＣサブフレーム設定情報に応じて、前記受害セルの前記基地局と前記侵害セルの前記基地局との間で適用されるｅＩＣＩＣのための前記サブフレーム設定情報を決定するために具体的に構成されている、請求項３４に記載のシステム。
【請求項３８】
前記受害セルの前記基地局が前記ｅＩＣＩＣ要求を前記侵害セルの前記基地局に送信する前に、前記侵害セルの前記基地局は、前記侵害セルの前記基地局がｅＩＣＩＣをサポートするか否かを指示するために指示を前記受害セルの前記基地局に送信し、前記受害セルの前記基地局から前記受害セルの前記基地局がｅＩＣＩＣをサポートするか否かを指示する指示を受信するために構成されている、請求項３４から３７のいずれかに記載のシステム。
【請求項３９】
前記侵害セルの前記基地局は、ｅＩＣＩＣのための確認された有用なサブフレーム設定情報を受信するために構成され、前記受害セルの前記基地局が前記侵害セルの前記基地局により送信されたｅＩＣＩＣのための前記決定されたサブフレーム設定情報を受信した後、前記サブフレーム設定情報が前記受害セルの前記基地局により送信される、請求項３４から３８のいずれかに記載のシステム。
【請求項４０】
前記侵害セルの前記基地局に関してＵＥにより提示された測定報告の中の測定値が事前に設定された閾値を超えることを検出した場合、前記受害セルの前記基地局は、前記受害セルの前記基地局が前記侵害セルの前記基地局から干渉を受けることを確認するために構成されている、請求項３４から３９のいずれかに記載のシステム。
【請求項４１】
ｅＩＣＩＣに適用されるため決定され、前記侵害セルの前記基地局により前記受害セルの前記基地局に送信される前記サブフレーム設定情報は、サブフレーム設定を使用する開始時間をさらに含む、請求項３４から４０のいずれかに記載のシステム。
【請求項４２】
前記受害セルの前記基地局から前記侵害セルの前記基地局によって受信された前記ｅＩＣＩＣ要求は、干渉レベルの指示を搬送する、請求項３４から４１のいずれかに記載のシステム。
【発明の詳細な説明】
【技術分野】
【０００１】
本出願は、２０１０年９月３０日付けで中国特許庁に出願され、“ＭＥＡＳＵＲＩＮＧ  ＡＮＤ  ＳＥＮＤＩＮＧ  ＭＥＴＨＯＤ，  ＡＰＰＡＲＡＴＵＳ，  ＡＮＤ  ＳＹＳＴＥＭ  ＦＯＲ  ＩＮＴＥＲＦＥＲＥＮＣＥ  ＣＯＯＲＤＩＮＡＴＩＯＮ”と題する中国特許出願第２０１０１０２９８５９７．４号の優先権を主張し、この出願の内容全体が参照によってここに組み込まれる。
【０００２】
本発明は、ワイヤレス通信技術に係わり、詳しくは、干渉調整のための測定および送信方法、装置、およびシステムに関する。
【背景技術】
【０００３】
ワイヤレス通信ネットワークの（カバレッジ、セルの平均スループット、セル・エッジ・スループット、およびアップリンク／ダウンリンク・スペクトル利用率を含めて）性能高めるために、異なる送信電力または異なるアクセスタイプをもつ基地局が異種多層カバレッジを形成するために同じカバレッジエリアに配備されることがある。たとえば、ＬＴＥ（Ｌｏｎｇ  Ｔｅｒｍ  Ｅｖｏｌｕｔｉｏｎ、ロング・ターム・エボリューション）システムにおいて、（ｍａｃｒｏ  ｅＮｏｄｅＢのような）マクロ基地局と低電力基地局（Ｈｏｍｅ  ｅＮｏｄｅＢ、ｍｉｃｒｏ  ｅＮｏｄｅＢ、ｐｉｃｏ  ｅＮｏｄｅＢ、Ｒｅｌａｙ  ｅＮｏｄｅＢ、およびＲＲＨのようなアクセスポイント）とにより構成される異種ネットワークは、マクロ基地局によってカバーされるエリアにおけるマクロ基地局のホット・スポット・カバレッジと、屋内不感帯（または微弱帯）カバレッジと、セル・エッジ・カバレッジとを高めるために、セルの平均スループットと、セル・エッジ・スループットと、セルのアップリンク／ダウンリンク・スペクトル利用率とを高めるために、そして、オペレータのネットワークコストとＣＡＰＥＸ（Ｃａｐｉｔａｌ  Ｅｘｐｅｎｄｉｔｕｒｅ、資金および固定資産の形式の投資の総称）を削減するために設計される。
【０００４】
ネットワーク配備の複雑さの増加に伴って、干渉が深刻となることが、既存の干渉管理技術において課題とされる。一部の低電力基地局は、マクロネットワークへのシグナリングインターフェースを確立しておらず、基地局間でＩＣＩＣ（Ｉｎｔｅｒ−Ｃｅｌｌ  Ｉｎｔｅｒｆｅｒｅｎｃｅ  Ｃｏｏｒｄｉｎａｔｉｏｎ、セル間干渉調整）技術を使用することにより干渉調整を実行できない。その上、ＩＣＩＣに含まれるシグナリングは、基地局間の干渉にシグナリング負荷をもたらす。従来技術では、制限付きのリソースを測定する技術を利用できない。ｅＮＢ（ｅｖｏｌｖｅｄ  ＮｏｄｅＢ、進化型ノードＢ）が測定設定を搬送するＲＲＣ（Ｒａｄｉｏ  Ｒｅｓｏｕｒｃｅ  Ｃｏｎｔｒｏｌ、無線リソース制御）再設定メッセージをＵＥ（Ｕｓｅｒ  Ｅｑｕｉｐｍｅｎｔ、ユーザ機器）に送信するとき、測定設定は、評価期間中にＵＥによって計算されたＣＲＳ（Ｃｅｌｌ−ｓｐｅｃｉｆｉｃ  Ｒｅｆｅｒｅｎｃｅ  Ｓｉｇｎａｌ、セル固有参照信号）の平均値に基づいている。測定設定を搬送するメッセージを受信した後、ＵＥは、評価期間中に間隔をあけてサブフレームに基づいてＣＲＳを測定し、設定メッセージの中の規則に応じた制限なしのリソースの使用により実行された測定の結果を報告する。
【０００５】
少なくとも以下の問題が従来技術において見受けられる。ＵＥが干渉を受けるとき、ＵＥは、制限なしの測定だけを実行し（測定されたセルの品質が非常に低いと仮定され、受害セルより良好なセルが利用可能ではないか、または、オペレータは、ＵＥが受害セルを選ぶことを期待する）、制限なしの測定の結果を取得し、この結果を報告する。この場合、ＵＥが受害セル内に位置している場合、ＵＥは、無駄にハンドオーバーし、または、受害セルの中のＵＥが特定のリソースだけを測定する場合、ネットワークは、干渉調整を実行できず、または、ＵＥが侵害セル内に位置している場合、侵害セルの中のＵＥは、受害セルにハンドオーバーする機会がなく、または、ＵＥが特定のリソースだけを測定する場合、非常に多くのＵＥが受害セルにハンドオーバーし、このことは、受害セルの輻輳につながる。
【発明の概要】
【発明が解決しようとする課題】
【０００６】
本発明の実施形態は、干渉を受けたＵＥが測定を正確に実行し、ハンドオーバーの基礎として測定結果を報告できるように、干渉調整のための測定および送信方法、装置、およびシステムを提供する。
【課題を解決するための手段】
【０００７】
一態様として、本発明の実施形態は、干渉調整のための測定方法を提供する。この方法は、測定設定情報を取得し、制限付きの測定の測定リソース情報を取得するステップと、測定設定情報および制限付きの測定の測定リソース情報に応じて測定を実行し、測定結果を取得するステップと、測定結果を報告するステップとを含む。
【０００８】
別の態様として、本発明の別の実施形態は、干渉調整のための送信方法を提供する。この方法は、受害セルの基地局が侵害セルの基地局から干渉を受けるとき、受害セルの基地局によって、強化されたＩＣＩＣ（ｅＩＣＩＣ）要求をａｇｇｒｅｓｓｏセルの基地局に送信するステップと、侵害セルの基地局によって、受害セルの基地局と侵害セルの基地局との間に適用されるｅＩＣＩＣのサブフレーム設定情報を決定し、制限付きの測定の測定リソース情報として、決定されたサブフレーム設定情報を受害セルの基地局に送信するステップと、を含む。
【０００９】
別の態様として、本発明の別の実施形態は、干渉調整のための測定装置を提供する。この装置は、測定設定情報を取得し、制限付きの測定の測定リソース情報を取得するために構成されている取得ユニットと、測定設定情報および制限付きの測定の測定リソース情報に応じて測定を実行し、測定結果を取得するために構成されている測定ユニットと、測定結果を報告するために構成されている報告ユニットとを含む。
【００１０】
別の態様として、本発明の別の実施形態は、干渉調整のための送信システムを提供する。このシステムは、受害セルの基地局と、侵害セルの基地局とを含む。受害セルの基地局は、受害セルの基地局が侵害セルの基地局から干渉を受けるとき、ｅＩＣＩＣ要求を侵害セルの基地局に送信するために構成され、侵害セルの基地局は、ｅＩＣＩＣ要求に応じて受害セルの基地局と侵害セルの基地局との間に適用されたｅＩＣＩＣのサブフレーム設定情報を決定し、制限付きの測定の測定リソース情報として、決定されたサブフレーム設定情報を受害セルの基地局に送信するために構成されている。
【発明の効果】
【００１１】
上記技術的解決手法は、以下の効果をもたらす。測定設定情報および制限付きの測定の測定リソース情報が取得され、測定が測定設定情報および制限付きの測定の測定リソース情報に応じて実行され、測定結果が取得され、報告される。その結果、干渉を受けたＵＥは、基本的挙動として、正確に測定を実行し、測定結果を報告することが可能である。
【００１２】
本発明または従来技術の技術的解決手法をより明瞭にするために、下記は、本発明の実施形態または従来技術の説明に関与する添付図面を概説する。明らかに、以下に概説される添付図面は、例示的であり網羅的ではなく、当業者は、創造的な努力を要することなくこれらの添付図面から他の図面を得ることができる。
【図面の簡単な説明】
【００１３】
【図１】図１は本発明の実施形態による干渉調整のための測定方法を示すフローチャートである。
【図２】図２は本発明の実施形態による干渉調整のための送信方法を示すフローチャートである。
【図３】図３は本発明の第１の実施形態による受害セル内のＵＥがどのようにして測定結果を報告するかを示すシグナリング図である。
【図４】図４は本発明の実施形態による侵害セルと受害セルとの間のリソース相互作用を示すシグナリング図である。
【図５】図５は本発明の第２の実施形態によって受害セル内のＵＥがどのようにして測定結果を報告するかを示すシグナリング図である。
【図６】図６は本発明の第３の実施形態によって受害セル内のＵＥがどのようにして測定結果を報告するかを示すシグナリング図である。
【図７】図７は本発明の第４の実施形態によって受害セル内のＵＥがどのように測定結果を報告するかを示すシグナリング図である。
【図８】図８は本発明の第１の実施形態によって侵害セル内のＵＥがどのように測定結果を報告するかを示すシグナリング図である。
【図９】図９は本発明の第２の実施形態によって侵害セル内のＵＥがどのように測定結果を報告するかを示すシグナリング図である。
【図１０】図１０は本発明の第３の実施形態によって侵害セル内のＵＥがどのように測定結果を報告するかを示すシグナリング図である。
【図１１】図１１は本発明の第４の実施形態によって侵害セル内のＵＥがどのように測定結果を報告するかを示すシグナリング図である。
【図１２】図１２は本発明の実施形態による干渉調整のための測定装置の概略構成図である。
【図１３】図１３は本発明の実施形態による干渉調整のための送信装置の構成の概略図である。
【発明を実施するための形態】
【００１４】
以下の詳細な説明は、本発明の徹底的な理解を提供するために添付図面に関連して与えられる。明らかに、図面および詳細な説明は、本発明の特有の実施形態の単なる典型例であり、全ての実施形態ではない。創造的な努力を要することなく本書に与えられた実施形態から当業者によって導かれ得る全ての他の実施形態は、本発明の範囲に含まれるべきである。
【００１５】
図１は、本発明の実施形態による干渉調整のための測定方法のフローチャートである。この方法は以下のステップを含む。
【００１６】
１０１：測定設定情報を取得し、制限付きの測定の測定リソース情報を取得する。
【００１７】
１０２：測定設定情報と制限付きの測定の測定リソース情報とに応じて測定を実行し、測定結果を取得する。
【００１８】
１０３：測定結果を報告する。
【００１９】
サービングセルの基地局（すなわち、説明中では、サービングセルの基地局）に測定結果を報告するステップは、測定結果を侵害セルの基地局（すなわち、侵害セルをカバーするカバレッジをもつ基地局）に報告し、測定結果を受害セルの基地局（すなわち、説明中では、受害セルをカバーするカバレッジをもつ基地局）に報告するステップを含む。
【００２０】
所望により、制限付きの測定の測定リソース情報を取得するステップは、制限付きの測定の測定リソース情報が時間ドメイン、周波数ドメイン、空間ドメイン、符号ドメインに関して測定されたリソースを制限することと、制限付きの測定の測定リソース情報がＩＣＩＣのため使用されるリソース、または、ＩＣＩＣのため使用されるリソースの一部分を指示し、ブロードキャストメッセージまたはシグナリングを通じて取得されることを含むことがある。所望により、測定設定情報を取得するステップは、制限なしの測定の設定情報と、対応する測定タイプを適用することを指示するために制限付きの測定の測定リソース情報に対応する特定のリソースを使用する測定指示および制限なしの測定の測定指示とを取得し、制限なしの測定の設定情報と、対応する測定タイプを適用することを指示するために制限付きの測定の測定リソース情報に対応する特定のリソースを使用する測定指示または制限なしの測定の測定指示とを取得するステップと、取得するためにブロードキャストメッセージまたはシグナリングを使用するステップと、を含み、測定指示は、開始、停止の指示である。所望により、測定設定情報を取得するステップは、制限なしの測定の設定情報と、対応する測定タイプを取り扱うための制限付きの測定指示および制限なしの測定指示とを取得し、制限なしの測定の設定情報と、対応する測定タイプを取り扱うための制限付きの測定指示または制限なしの測定指示とを取得するステップと、ブロードキャストメッセージまたはシグナリングを使用するステップとを含み、測定指示は、測定開始、測定停止の指示である。所望により、測定タイプまたはイベントタイプは、測定結果を識別するために使用される。
【００２１】
所望により、干渉閾値は、ブロードキャストメッセージまたはシグナリングを通じて制限付きの測定の測定リソース情報を取得するとき、付加的に取得されることがある。所望により、測定設定情報および制限付きの測定の測定リソース情報に応じて測定を実行し、測定結果を取得し、測定結果を報告するステップは、測定設定情報に応じて対応する制限なしの測定を実行し、干渉レベルを表す干渉値を取得するステップと、干渉値を干渉閾値と比較するステップと、干渉値が干渉閾値以上である場合、ＵＥによって、測定設定情報に応じて対応する制限なしの測定を実行し、制限なしの測定の測定結果を取得し、制限なしの測定の測定結果をサービングセルの基地局に報告するステップと、干渉値が干渉閾値未満である場合、ＵＥによって、制限付きの測定の測定リソース情報に対応する具体的なリソースの測定を開始し、制限付きの測定リソース情報に応じて特定のリソースの測定結果を取得し、報告するステップと、または、対応する制限なしの測定を実行し、制限なしの測定の結果を取得し、その間に、制限なしの測定の測定リソース情報に対応する特定のリソースを測定し、特定のリソースの測定の結果を取得し、そして、制限なしの測定の結果および特定のリソースの測定の結果をサービングセルの基地局に報告するステップと、または、干渉値が干渉閾値以上になるまで、対応する制限なしの測定を実行し、制限なしの測定の結果を取得し、その間に、制限付きの測定の測定リソース情報に対応する特定のリソースを測定し、特定のリソースの測定の結果を取得し、特定のリソースの測定の結果だけをサービングセルの基地局に報告するステップと、ＵＥが制限付きの測定の測定リソース情報を受信するとすぐに、制限付きの測定を開始し、その間に、制限なしの測定を継続するステップと、を含む。
【００２２】
所望により、測定設定情報を取得し、制限付きの測定の測定リソース情報を取得するステップは、受害セル内に位置するＵＥによって、受害セルの基地局から測定設定情報を取得し、受害セルの基地局から制限付きの測定の測定リソース情報を取得するステップと、または、侵害セル内のＵＥによって、侵害セルの基地局から測定設定情報を取得し、侵害セルの基地局から制限付き測定の測定リソース情報を取得し、近傍受害セルを測定するために測定設定情報および測定リソース情報を適用するステップと、を含む。
【００２３】
所望により、報告された測定結果を受信した後、侵害セルの基地局は、測定結果に応じて受害セルの基地局にハンドオーバーすることを決定し、ＵＥをスケジューリングするモードを受害セルの基地局に指示する。スケジューリングモードを指示するプロセスは、侵害セルの基地局によって開始され、ＵＥによって推奨されるスケジューリングモードが受害セルのターゲット基地局に報告される。指示を受信する受害セルの基地局は、取り扱われるＵＥのためのスケジューリングポリシーを策定するときにこの指示を考慮に入れる。たとえば、侵害セルの基地局が制限付きのリソーススケジューリングを指示する場合、受害セルの基地局は、ＩＣＩＣのため使用される制限付きのリソースについてＵＥをスケジューリングすることがある。スケジューリングモードの指示は、測定結果のタイプに応じて侵害セルの基地局によって決定され、この測定結果のタイプは、受害セルの基地局へのハンドオーバーを決定するため使用され、ＵＥによって報告される。スケジューリングモードの指示は、別個のシグナリングでもよく、または、ハンドオーバープロセスにおいて伝送されるシグナリングの中で搬送されることがある。
【００２４】
上記干渉調整のための測定方法において、干渉を受けるＵＥは、測定を正確に実行し、ハンドオーバーの基礎として測定結果を報告することが可能である。
【００２５】
上記測定方法に対応して、干渉調整のための送信方法が本発明の実施形態において提供される。図２に示されるように、送信方法は、以下のステップを含む。
【００２６】
２０１：受害セルの基地局は、受害セルの基地局が侵害セルの基地局から干渉を受けるとき、ｅＩＣＩＣ要求を侵害セルの基地局に送信する。
【００２７】
２０２：侵害セルの基地局がｅＩＣＩＣ要求に応じて受害セルの基地局と侵害セルの基地局との間に適用されるｅＩＣＩＣのためのサブフレーム設定情報を決定し、割り当てられた特定のリソースの設定情報として決定されたサブフレーム設定情報を受害セルの基地局に送信し、受害セルの基地局は、制限付きの測定の測定リソース情報を構成する。
【００２８】
所望により、受害セルの基地局がｅＩＣＩＣ要求を侵害セルの基地局に送信する前に、この方法は、侵害セルの基地局によって、ｅＩＣＩＣのため利用可能なサブフレーム設定情報を受害セルの基地局に送信するステップをさらに含む。侵害セルの基地局によるｅＩＣＩＣ要求に応じて受害セルの基地局と侵害セルの基地局との間に適用されるｅＩＣＩＣのためのサブフレーム設定情報を決定するステップは、侵害セルの基地局がｅＩＣＩＣのため侵害セルの基地局で利用可能なサブフレーム設定情報に応じて、かつ、ｅＩＣＩＣ要求の中のｅＩＣＩＣサブフレーム設定情報に応じて、受害セルの基地局と侵害セルの基地局との間に適用されるｅＩＣＩＣのためのサブフレーム設定情報を決定することを含むことがある。ｅＩＣＩＣに適用される決定されたサブフレーム設定情報は、完全にサイレント状態のサブフレーム設定情報と部分的にサイレント状態のサブフレーム設定情報とを含み、または、Ｒ１０より後のＵＥ群は、このようなサブフレームについて選択的にスケジューリングされる。
【００２９】
所望により、受害セルの基地局がｅＩＣＩＣ要求を侵害セルの基地局に送信する前に、この方法は、受害セルの基地局と侵害セルの基地局との間でメッセージを送信するステップをさらに含むことがあり、このメッセージは、相手方へのｅＩＣＩＣをサポートするか否かの局所的な能力を示す。侵害セルの基地局がＩＣＩＣをサポートする場合、受害セルの基地局は、干渉を検出したときに、ＩＣＩＣ要求を送信する。
【００３０】
所望により、受害セルの基地局が侵害セルの基地局によって送信されたｅＩＣＩＣに適用される決定されたサブフレーム設定情報を受信した後、受害セルの基地局は、ｅＩＣＩＣのための確認された有用なサブフレーム設定情報を侵害セルの基地局に送信することがある。確認プロセスは、無線リソースの使用の同期を維持することを目的とする。一部の特定のシナリオでは、受害セルの基地局が侵害セルの基地局によって送信された設定情報を受信できない場合、侵害セルの基地局は、確認プロセスの欠如のため設定情報に気付くことがなく、受害セルの基地局は、設定を受信できないため侵害セルの基地局の設定を使用することがなく、侵害セルの基地局は、送信された設定を使用しない。確認プロセスは、無線リソースの利用率を高める。
【００３１】
所望により、侵害セルの基地局に関してＵＥによって提出された測定報告の中の測定値が事前に設定された閾値を超える場合、受害セルの基地局は、受害セルの基地局が侵害セルの基地局からの干渉を受けることを確認する。所望により、侵害セルの基地局によって受害セルの基地局に送信され、ｅＩＣＩＣに適用されるものとして決定されたサブフレーム設定情報は、サブフレーム設定の使用を開始する時間を含むことがある。サブフレーム設定の使用を開始する時間は、侵害セルの基地局と受害セルの基地局との間でサブフレームを使用する時間を調整するために設計され、たとえば、受害セルの基地局は、侵害セルの基地局がサイレントモードにあるサブフレームにＵＥをスケジューリングする。所望により、受害セルの基地局によって侵害セルの基地局に送信されたｅＩＣＩＣ要求は、干渉レベルの指示を搬送する。干渉レベルは、高、中、または、低レベルでもよい。干渉レベルに依存して、侵害セルのサイレントサブフレームの送信電力または個数が調整されることがある。たとえば、干渉レベルが高である場合、送信電力は、低減されることがあり、サブフレームは、完全にサイレント状態にされることがあり、または、より多くのサブフレームが干渉を低減するためにサイレント状態にされることがある。
【００３２】
上記実施形態における干渉調整のための送信方法では、干渉を受けたＵＥは、測定を正確に実行し、ハンドオーバーの基礎として測定結果を報告することが可能である。測定報告を受信した後、侵害セルの基地局は、受害セルの基地局にハンドオーバーすることを決定する。ハンドオーバーコマンドは、通知を受害セルの基地局に所望により搬送する。この通知は、ＵＥをスケジューリングするモードがｅＩＣＩＣの強化されたスケジューリングモードであることを指示し（すなわち、スケジューリングが侵害セルの基地局上での干渉調整のため設計されたリソースだけに関して実行される）、または、決定の基礎として役立つ測定結果が制限付きのリソースの測定から派生する。
【００３３】
下記は、実施例を通じてより詳しく記述する。
【００３４】
図３は、本発明の第１の実施形態による受害セル内のＵＥがどのようにして測定結果を報告するかを示すシグナリング図である。シグナリングフローは以下を含む。
【００３５】
３０１：侵害セルのｅＮＢは、特定のリソース割り当てアルゴリズムに応じて特定のリソースの割り当てを決定する。
【００３６】
３０２：侵害セルのｅＮＢは、割り当てられた特定のリソースの設定情報を受害セルのｅＮＢと交換する。
【００３７】
図４は、本発明の実施形態による侵害セルのｅＮＢと受害セルのｅＮＢとの間のリソース相互作用のシグナリング図である。シグナリングフローは、以下を含む。
【００３８】
設定段階：
【００３９】
１：侵害セルのｅＮＢは、Ｘ２インターフェースをセットアップする、または、ｅＮＢ設定を更新するプロセスにおいてＴＤＭ（Ｔｉｍｅ  Ｄｉｖｉｓｉｏｎ  Ｍｕｌｔｉｐｌｅｘ、時分割多重）で利用できるｅＩＣＩＣ（強化されたセル間干渉調整）のためのサブフレーム設定情報（いわゆる利用可能なサブフレームの設定）を受害セルのｅＮＢに送信する。サブフレーム設定情報は、侵害セルのｅＮＢがこのようなサブフレームを干渉調整のためサイレント状態にすることを受害セルのｅＮＢに指示する。本実施形態では、この設定は、直ちに適用されるのではなく、ステップ２において適用される。
【００４０】
開始段階：
【００４１】
１ａ：受害セルのｅＮＢが干渉を受けないとき、侵害セルのｅＮＢは、サイレント状態になるのではなく、対応するサブフレームリソースを使用し続けることがあり、それによって、リソースの利用率を高める。
【００４２】
２ａ：受害セルのｅＮＢは、ＵＥの測定報告を通じてセル識別子を取得し、侵害セルのｅＮＢによってＵＥに課されたダウンリンク干渉を検出するとき、侵害セルのｅＮＢへのｅＩＣＩＣプロセスを開始することを決定する。
【００４３】
２：受害セルのｅＮＢは、ｅＩＣＩＣ開始要求メッセージを侵害セルのｅＮＢに送信する。このメッセージは、受害セルのｅＮＢによって要求されたｅＩＣＩＣサブフレーム設定情報を搬送することがある。
【００４４】
要求されたｅＩＣＩＣサブフレーム設定情報は、ステップ１において侵害セルのｅＮＢによって指示された利用可能なサブフレームの設定の一部分でもよく、または、利用可能なサブフレームの設定のうちの一定の割合でもよく、または、要求された個数のサブフレームリソースのレベルの指示でもよい。主要な目的は、受害セルのｅＮＢの中で干渉を受けたＵＥの個数と、干渉を受けたＵＥのサービス要件と、ＱｏＳ（Ｑｕａｌｉｔｙ  ｏｆ  Ｓｅｒｖｉｃｅ、サービス品質）要件とに依存して、受害セルのｅＮＢは、異なる量のリソースを使用することを要求することがあるので、その結果、占有されるリソースは、過剰ではなく、リソースは、干渉を受けたＵＥに利用できる。
【００４５】
３．ａ：侵害セルのｅＮＢは、どのサブフレームがサイレント状態であるかを決定する。具体的には、この決定は、リソースの局所利用率と、局所セルのｅＮＢの負荷と、受害セルのｅＮＢの負荷と、受害セルのｅＮＢによって要求されるリソースとに応じて行われる。
【００４６】
３：侵害セルのｅＮＢは、決定されたサイレント状態サブフレームの設定情報を受害セルのｅＮＢに通知する。さらに、設定情報は、設定の使用を開始する時間を含むことがあり、サイレント状態サブフレームが使用される特定の時間を指示する。この時間は、侵害セルのｅＮＢと受害セルのｅＮＢとの間でサイレント状態サブフレームを処理する同期を維持するために設計される。時間情報は、特定のサブフレーム番号によって表現されることがある。
【００４７】
４．ａ：受害セルのｅＮＢは、対応するサイレント状態フレームの位置に干渉を受けたＵＥをスケジューリングする。
【００４８】
４（任意選択的）：受害セルのｅＮＢは、ｅＩＣＩＣ開始完了メッセージを侵害セルのｅＮＢに送信する。このメッセージを通じて、侵害セルのｅＮＢは、受害セルのｅＮＢがサイレント状態サブフレームの設定を承諾したことを知る。このメッセージを受信した後、侵害セルのｅＮＢは、測定制御メッセージをＵＥに送信する。測定制御メッセージは、ＵＥが近傍受害セルのｅＮＢの信号を測定するとき、サイレント状態サブフレームだけが測定される必要があることを指定する。このステップが任意選択的である場合、測定制御メッセージは、ステップ３．ａ．の後にＵＥに送信される。
【００４９】
解除段階：
【００５０】
５．ａ．：受害セルのｅＮＢは、ｅＩＣＩＣを進めることが必要ではないと決定するか、または、一部のサイレント状態サブフレームを解除することが可能であると決定する。
【００５１】
５：受害セルのｅＮＢは、ｅＩＣＩＣ解除要求メッセージを侵害セルのｅＮＢに送信する。このメッセージは、解除のため受害セルのｅＮＢによって決定されたサブフレーム設定情報を搬送することがある。ステップ２に対応して、解除されるべきサブフレームに関する情報は、ステップ３において侵害セルのｅＮＢによって指示されたサイレント状態サブフレームの設定の一部分でもよく、または、構成された利用可能なサブフレームのうちの一定の割合でもよく、または、要求された数のサブフレームリソースのレベルの指示でもよい。目的は、受害セルのｅＮＢにおいて干渉を受けたＵＥの台数と、干渉を受けたＵＥのサービス要件と、サービス品質（ＱｏＳ）要件とに依存して、受害セルのｅＮＢが異なる数のリソースを使用してもよいことであり、その結果、占有されるリソースは、過剰ではなく、リソースが干渉を受けたＵＥで利用可能である。
【００５２】
６．ａ：侵害セルのｅＮＢは、どのサイレント状態サブフレームが解除されるかを決定する。解除されたサブフレームは、侵害セルのｅＮＢで利用可能である。具体的には、この決定は、リソースの局所利用率と、局所セルのｅＮＢの負荷と、受害セルのｅＮＢの負荷と、受害セルのｅＮＢによって要求されるリソースとに応じて行われる。
【００５３】
６：侵害セルのｅＮＢは、解除のため決定されたサイレント状態サブフレームの設定情報を受害セルのｅＮＢに通知する。さらに、設定情報は、サイレント状態サブフレームの解除が効力を発することになる特定の時間を指示する有効時間を含むことがある。有効時間は、侵害セルのｅＮＢと受害セルのｅＮＢとの間でサイレント状態サブフレームの処理の同期を維持するために設計される。有効時間情報は、特定のサブフレーム番号によって表現されることがある。
【００５４】
７．ａ：受害セルのｅＮＢは、干渉を受けたＵＥを対応するサイレント状態サブフレームの位置にスケジューリングする。
【００５５】
７（任意選択的）：受害セルのｅＮＢは、ｅＩＣＩＣ解除完了メッセージを侵害セルのｅＮＢに送信する。このメッセージを通じて、受害セルのｅＮＢは、侵害セルのｅＮＢがサイレント状態サブフレームの解除を承認したことを知り、可能な残りのサイレント状態サブフレームの設定を確認する。このメッセージを受信した後、侵害セルのｅＮＢは、測定制御メッセージをＵＥに送信する。測定制御メッセージは、ＵＥが近傍受害セルのｅＮＢの信号を測定するとき、サイレント状態サブフレームだけが測定される必要があることを指定する。このステップが任意選択的である場合、測定制御メッセージは、ステップ６の後にＵＥに送信されることがある。
【００５６】
３０３：受害セルのｅＮＢは、制限なしの測定設定情報を搬送する設定メッセージをＵＥに送信する。
【００５７】
３０４：受害セルのｅＮＢは、侵害セルのｅＮＢの制限付きの測定の測定リソースに関する情報を搬送するシグナリングをＵＥに送信する。
【００５８】
ＵＥが上記メッセージを受信した後、ＵＥのＲＬＭ（Ｒａｄｉｏ  Ｌｉｎｋ  Ｍｅａｓｕｒｅｍｅｎｔ、無線リンク測定）またはＣＳＩ（Ｃｈａｎｎｅｌ  Ｓｔａｔｕｓ  Ｉｎｆｏｒｍａｔｉｏｎ、チャネル状態情報）測定が特定のリソースの指定されたリソースブロックに応じて実行される。ＲＲＭ測定（Ｒａｄｉｏ  Ｒｅｓｏｕｒｃｅ  Ｍａｎａｇｅｍｅｎｔ、無線リソース管理）（ＲＳＲＰ（Ｒｅｆｅｒｅｎｃｅ  Ｓｉｇｎａｌ  Ｒｅｃｅｉｖｅｄ  Ｐｏｗｅｒ、基準信号受信電力）／ＲＳＲＱ（Ｒｅｆｅｒｅｎｃｅ  Ｓｉｇｎａｌ  Ｒｅｃｅｉｖｅｄ  Ｑｕａｌｉｔｙ、基準信号受信品質））に対し、ＵＥは、制限付きの測定の測定リソースに関する情報に応じて対応する制限付きの測定だけを実行するか、または、特定のリソースの指定されたリソースブロックに応じて測定を実行し、既存の制限なしの測定を実行する。
【００５９】
３０５：ＵＥは、測定結果を報告する。
【００６０】
ＵＥは、特定のリソースの指定されたリソースブロックに応じて実行された測定の測定結果だけを報告する。測定結果は、測定タイプによって識別されることがあり、または、特定のリソースの指定されたリソースブロックに応じて実行された測定は、新しいイベントタイプによって識別され、または、ＵＥは、特定のリソースの指定されたリソースブロックに応じて実行された測定の結果と制限なしの測定の結果とを報告する。
【００６１】
本実施形態では、受害セルのｅＮＢの中のＵＥは、ハンドオーバーの基礎として測定結果を報告し、ＵＥから測定報告を受信した後、侵害セルのｅＮＢは、受害セルのｅＮＢへのハンドオーバーを決定する。
【００６２】
図５は、本発明の第２の実施形態によって受害セルのｅＮＢ内のＵＥがどのように測定結果を報告するかを示すシグナリング図である。シグナリングフローは以下を含む。
【００６３】
５０１：侵害セルのｅＮＢは、特定のリソース割り当てアルゴリズムに応じて特定のリソースの割り当てを決定する。
【００６４】
５０２：侵害セルのｅＮＢは、割り当てられた特定のリソースの設定情報を受害セルのｅＮＢと交換する。
【００６５】
詳細については、図４を参照されたし。第１の実施形態におけるステップとの相違は、解除プロセスにおいて、ステップ５は、受害セルのｅＮＢではなく侵害セルのｅＮＢによって開始され、ステップ６は、侵害セルのｅＮＢではなく受害セルのｅＮＢによって開始され、ステップ７は、受害セルのｅＮＢではなく侵害セルのｅＮＢによって開始されることである。
【００６６】
５：侵害セルのｅＮＢは、ｅＩＣＩＣ解除要求を送信する。具体的には、干渉を受けるＵＥからのアップリンク干渉が検出され、干渉を受けたＵＥが存在するか否かが分かる。アップリンク干渉が事前に設定された閾値より低い場合、侵害セルのｅＮＢは、ｅＩＣＩＣ解除要求を送信することを決定する。解除要求は、解除のため推奨されるサイレント状態サブフレームの設定情報、または、受害セルのｅＮＢに新たに推奨されるサイレント状態サブフレームの設定情報を搬送することがある。
【００６７】
６（任意選択的）：受害セルのｅＮＢは、ｅＩＣＩＣ解除確認メッセージを侵害セルのｅＮＢに送信する。さらに、ステップ２から５において推奨されたサイレント状態サブフレームの設定は、たとえば、受入れるかどうか、どのサブフレームが受入れられたか、または、どのサブフレームが拒絶されたかに関して確認される。
【００６８】
７（任意選択的）：侵害セルのｅＮＢは、ｅＩＣＩＣ解除完了メッセージを受害セルのｅＮＢに送信する。このようにして、受害セルのｅＮＢは、どのサブフレームが解除されるかが分かる。
【００６９】
５０３：受害セルのｅＮＢは、侵害セルのｅＮＢによって割り当てられた特定のリソースの設定情報または設定情報の一部分に応じて制限付きの測定の測定リソースを構成し、制限付きの測定の測定リソースに関する情報を搬送するブロードキャストメッセージをＵＥに送信する。
【００７０】
５０４：受害セルのｅＮＢは、制限なしの測定設定情報をＵＥに送信する。
【００７１】
５０５：受害セルのｅＮＢは、シグナリングを通じて測定設定情報をＵＥに送信する。測定設定情報は、対応する測定タイプを実行するために、制限付きの測定を開始／停止する指示、および、制限なしの測定を開始／停止する指示を搬送し、または、対応する測定タイプを実行するために、制限付きの測定を開始／停止する指示、もしくは、制限なしの測定を開始／停止する指示を搬送する。デフォルトで、ＵＥは、制限なしの測定だけを実行する。
【００７２】
特定のリソースの指定されたリソースブロックに応じて測定を実行することを必要とするＵＥに対し、受害セルのｅＮＢは、制限付きの測定を実行する指示としてシグナリングをＵＥに送信する。
【００７３】
ステップ５０５に代わるステップとして、測定設定情報に含まれる測定タイプ指示、制限なしの測定／制限付きの測定／両方の測定、または、測定タイプ指示なし、ｍｅａｓｔｙｐｅ  ＥＮＵＭＥＲＡＴＥＤ  ｛ｓｐｅｃｉｆｉｃｍｅａｓ，ｒｅｇｕｌａｒｍｅａｓ，．．．，ｂｏｔｈ｝に応じて報告タイプを構成する。デフォルトで、制限なしの測定だけが実行される。
【００７４】
ＵＥによって受信されたシグナリングが制限付きの測定および制限なしの測定が共に必要とされることを指示する場合、特定のリソースの指定されたリソースブロックに応じた制限なしの測定および制限付きの測定が実行され、制限付きの測定がＵＥのため構成される場合、ＵＥのＲＬＭ／ＣＳＩの測定は、制限付きの測定に対応する測定だけである。
【００７５】
５０６：ＵＥは測定結果を報告する。
【００７６】
ＵＥは、特定のリソースの指定されたリソースブロックに応じて実行された測定の測定結果だけを報告する。測定結果は、測定タイプによって識別されることがあり、もしくは、特定のリソースの指定されたリソースブロックに応じて実行された測定は、新しいイベントタイプによって識別され、または、ＵＥは、特定のリソースの指定されたリソースブロックに応じて実行された測定の結果と制限なしの測定の結果とを報告する。
【００７７】
本実施形態では、受害セルのｅＮＢ内の特定のＵＥは、開始指示を受信すると測定を実行し、ハンドオーバーの基礎として測定結果を報告し、ＵＥから測定報告を受信した後、侵害セルのｅＮＢは、受害セルのｅＮＢへのハンドオーバーを決定する。
【００７８】
図６は、本発明の第３の実施形態によって受害セル内のＵＥがどのように測定結果を報告するかを示すシグナリング図である。シグナリングフローは以下を含む。
【００７９】
６０１：侵害セルのｅＮＢは、特定のリソース割り当てアルゴリズムに応じて特定のリソースの割り当てを決定する。
【００８０】
６０２：侵害セルのｅＮＢは、割り当てられた特定のリソースの設定情報を受害セルのｅＮＢと交換する。
【００８１】
詳細については、図４を参照されたし。第１の実施形態におけるステップとの相違は、ステップ１、ステップ４、ステップ６にあり、ステップ１およびステップ６が修正されている。
【００８２】
１、６：侵害セルのｅＮＢは、Ｘ２インターフェースをセットアップするか、または、ｅＮＢ設定を更新するプロセスにおいて、ｅＩＣＩＣ（強化されたセル間干渉調整）のためのサブフレーム設定情報（いわゆる利用可能なサブフレームの設定）を受害セルのｅＮＢに送信する。サブフレーム設定情報は、侵害セルのｅＮＢがこのようなサブフレームをサイレント状態にさせることを指示する。サブフレーム設定情報を受信した後、受害セルのｅＮＢは、サイレント状態サブフレームの位置にＵＥをスケジューリングする。
【００８３】
受害セルのｅＮＢが事前に侵害セルのｅＮＢからｅＩＣＩＣサブフレーム設定情報を受信していた場合、前の設定は無視され、最新の設定が適用される。その結果、侵害セルのｅＮＢによって開始されたこのプロセスは、ｅＩＣＩＣを開始または解除することが可能である（無効設定は、ｅＩＣＩＣの解除を指示する）。
【００８４】
４：受害セルのｅＮＢは、ｅＩＣＩＣのためのサブフレーム設定確認情報を侵害セルのｅＮＢに送信する。その結果、侵害セルのｅＮＢは、受害セルのｅＮＢがこのようなサブフレーム上でｅＩＣＩＣを開始することになることが分かる。
【００８５】
６０３：受害セルのｅＮＢは、侵害セルのｅＮＢによって割り当てられた特定のリソースの設定情報または設定情報の一部分に応じて制限付きの測定の測定リソースを構成し、制限付きの測定の測定リソースに関する情報を搬送するブロードキャストメッセージをＵＥに送信する。ブロードキャストメッセージは、ＲＳＲＱ−ｔｈｒｅｓｈｏｌｄのような干渉閾値を搬送する。
【００８６】
６０４：受害セルのｅＮＢは、制限なしの測定設定情報をＵＥに送信する。
【００８７】
ＵＥがブロードキャストメッセージを読むとき、制限付きのリソース設定および干渉閾値は、ＵＥの変数の中に存在し続け、制限付きのリソース設定および干渉閾値が後続のシステムメッセージの中で更新された後に更新される。ＵＥは、干渉レベル、たとえば、ＲＳＲＱ−ｍｅａｓを表す値を取得するために制限なしの測定を実行する。
【００８８】
測定値「ＲＳＲＱ−ｍｅａｓ」がＲＳＲＱ−ｔｈｒｅｓｈｏｌｄ以上である場合、ＵＥは、やはり制限なしの測定を実行する。
【００８９】
測定値「ＲＳＲＱ−ｍｅａｓ」がＲＳＲＱ−ｔｈｒｅｓｈｏｌｄ未満である場合、ＵＥのＲＬＭ／ＣＳＩは、特定のリソースの指定されたリソースブロックに応じて測定される。（ＲＳＲＰ／ＲＳＲＱのような）ＲＲＭ測定に対し、ＵＥは、特定のリソースの指定されたリソースブロックに応じて対応する測定だけを実行し、または、特定のリソースの指定されたリソースブロックに応じた測定と制限なしの測定とを実行する。
【００９０】
６０５：ＵＥは測定結果を報告する。
【００９１】
ＵＥは、特定のリソースの指定されたリソースブロックに応じて実行された測定の測定結果だけを報告する。測定結果は、測定タイプによって識別されることがあり、もしくは、特定のリソースの指定されたリソースブロックに応じて実行された測定の結果は、新しいイベントタイプによって識別され、または、ＵＥは、特定のリソースの指定されたリソースブロックに応じて実行された測定の結果と制限なしの測定の結果とを報告する。
【００９２】
ステップ６０５に代わるステップ６０５’：ＵＥは、測定結果を報告する：ＵＥは、制限なしの測定を実行し続ける。測定値ＲＳＲＱ−ｍｅａｓがＲＳＲＱ−ｔｈｒｅｓｈｏｌｄ未満であるとき、ＵＥは、特定のリソースの指定されたリソースブロックに応じて測定を実行し、制限なしの測定を実行する。測定値ＲＳＲＱ−ｍｅａｓがＲＳＲＱ−ｔｈｒｅｓｈｏｌｄ未満である場合、ＵＥは、特定のリソースの指定されたリソースブロックに応じて実行された測定の結果だけを報告し、測定値ＲＳＲＱ−ｍｅａｓがＲＳＲＱ−ｔｈｒｅｓｈｏｌｄ以上である場合、ＵＥは、制限なしの測定の結果だけを報告する。測定結果は、測定タイプによって識別されることがある。
【００９３】
本実施形態では、受害セルのｅＮＢ内のＵＥは、干渉閾値を使用することにより測定を実行し、ハンドオーバーの基礎として測定結果を報告し、ＵＥから測定報告を受信した後、侵害セルのｅＮＢは、受害セルのｅＮＢへのハンドオーバーを決定する。
【００９４】
図７は、本発明の第４の実施形態によって受害セルのｅＮＢ内のＵＥがどのように測定結果を報告するかを示すシグナリング図である。シグナリングフローは以下を含む。
【００９５】
７０１：侵害セルのｅＮＢは、特定のリソース割り当てアルゴリズムに応じて特定のリソースの割り当てを決定する。
【００９６】
７０２：侵害セルのｅＮＢは、割り当てられた特定のリソースの設定情報を受害セルのｅＮＢに送信する。
【００９７】
７０３：受害セルのｅＮＢは、侵害セルのｅＮＢによって割り当てられた特定のリソースの設定情報または設定情報の一部分に応じて制限付きの測定の測定リソースを構成し、制限付きの測定の測定リソースに関する情報を搬送するブロードキャストメッセージをＵＥに送信する。
【００９８】
７０４：受害セルのｅＮＢは、制限なしの測定設定情報をＵＥに送信する。
【００９９】
ＵＥがブロードキャストメッセージを読むとき、制限付きのリソース設定および干渉閾値は、ＵＥの変数の中に存在し続け、制限付きのリソース設定および干渉閾値が後続のシステムメッセージの中で更新された後に更新される。
【０１００】
７０５：ＵＥは、干渉閾値を搬送する、たとえば、ＲＳＲＱ−ｔｈｒｅｓｈｏｌｄを搬送するシグナリングを受害セルのｅＮＢから受信する。
【０１０１】
ＵＥは、制限なしの測定を実行し、干渉レベルを表す値、たとえば、ＲＳＲＱ−ｍｅａｓを取得する。
【０１０２】
測定値ＲＳＲＱ−ｍｅａｓがＲＳＲＱ−ｔｈｒｅｓｈｏｌｄ以上である場合、ＵＥは、やはり制限なしの測定を実行する。
【０１０３】
測定値ＲＳＲＱ−ｍｅａｓがＲＳＲＱ−ｔｈｒｅｓｈｏｌｄ未満である場合、ＵＥのＲＬＭ／ＣＳＩが特定のリソースの指定されたリソースブロックに応じて測定される。（ＲＳＲＰ／ＲＳＲＱのような）ＲＲＭ測定に対し、ＵＥは、特定のリソースの指定されたリソースブロックに応じた対応する測定だけを実行し、または、特定のリソースの指定されたリソースブロックに応じた測定と制限なしの測定とを実行する。
【０１０４】
７０６：ＵＥは測定結果を報告する。
【０１０５】
ＵＥは、特定のリソースの指定されたリソースブロックに応じて実行された測定の測定結果だけを報告する。測定結果は、測定タイプによって識別されることがあり、もしくは、特定のリソースの指定されたリソースブロックに応じて実行された測定の結果は、新しいイベントタイプによって識別され、または、ＵＥは、特定のリソースの指定されたリソースブロックに応じて実行された測定の結果と制限なしの測定の結果とを報告する。
【０１０６】
本実施形態では、受害セルのｅＮＢの特定のＵＥは、干渉閾値を使用することにより測定を実行し、ハンドオーバーの基礎として測定結果を報告し、ＵＥから測定報告を受信した後、侵害セルのｅＮＢは、受害セルのｅＮＢへのハンドオーバーを決定する。
【０１０７】
図８は、本発明の第１実施形態によって侵害セル内のＵＥがどのように測定結果を報告するかを示すシグナリング図である。シグナリングフローは以下を含む。
【０１０８】
８０１：侵害セルのｅＮＢは、特定のリソース割り当てアルゴリズムに応じて特定のリソースの割り当てを決定する。
【０１０９】
８０２：侵害セルのｅＮＢは、制限なしの測定設定情報をＵＥに送信する。
【０１１０】
８０３：侵害セルのｅＮＢは、このセル内のｅＮＢの割り当てられた特定のリソースの設定情報をシグナリングによってＵＥに送信する。ネットワークは、ＲＳＲＱ−ｍｅａｓのような、干渉レベルを表す値に応じてシグナリングをＵＥに送信するか否かを決定することがあり、干渉レベルを表す値は、ＵＥによって実行される制限なしの測定を通じて取得される。
【０１１１】
ＵＥが上記メッセージを受信した後、ＵＥのＲＬＭ／ＣＳＩは、特定のリソースの指定されたリソースブロックに応じて測定される。（ＲＳＲＰ／ＲＳＲＱのような）ＲＲＭ測定に対し、ＵＥは、特定のリソースの指定されたリソースブロックに応じて対応する測定だけを実行するか、または、特定のリソースの指定されたリソースブロックに応じた測定と制限なしの測定とを実行する。
【０１１２】
８０４：ＵＥは測定結果を報告する。
【０１１３】
ＵＥは、特定のリソースの指定されたリソースブロックに応じて実行された測定の測定結果だけを報告する。測定結果は、測定タイプによって識別されることがあり、もしくは、特定のリソースの指定されたリソースブロックに応じて実行された測定の結果は、新しいイベントタイプによって識別され、または、ＵＥは、特定のリソースの指定されたリソースブロックに応じて実行された測定の結果と制限なしの測定の結果とを報告する。
【０１１４】
本実施形態では、侵害セルのｅＮＢ内のＵＥは、ハンドオーバーの基礎として測定結果を報告し、ＵＥから測定結果を受信した後、侵害セルのｅＮＢは、受害セルのｅＮＢへのハンドオーバーを決定する。
【０１１５】
図９は、本発明の第２の実施形態によって侵害セル内のＵＥがどのように測定結果を報告するかを示すシグナリング図である。シグナリングフローは以下を含む。
【０１１６】
９０１：侵害セルのｅＮＢは、特定のリソース割り当てアルゴリズムに応じて特定のリソースの割り当てを決定する。
【０１１７】
９０２：ブロードキャストメッセージは、ＵＥに送信され、このブロードキャストメッセージは、侵害セルのｅＮＢの割り当てられた特定のリソースの設定情報を搬送する。
【０１１８】
９０３：侵害セルのｅＮＢは、制限のない測定設定情報をＵＥに送信する。
【０１１９】
９０４：特定のリソースの指定されたリソースブロックに応じて測定を実行する必要があるＵＥに対し、侵害セルのｅＮＢは、測定設定情報をシグナリングによってＵＥに送信する。測定設定情報は、制限付きの測定の開始／停止の指示および制限なしの測定の開始／停止の指示を搬送するか、または、制限付きの測定の開始／停止の指示または制限なしの測定の開始／停止の指示を搬送する。デフォルトで、ＵＥは、制限のない測定だけを実行する。侵害セルのｅＮＢのネットワークは、干渉レベルを表す値を取得するために、たとえば、シグナリングをＵＥに送信すべきか否かを決定する基礎としてＲＳＲＱ−ｍｅａｓ値を取得するために、ＵＥに応じて制限のない測定を実行することがある。
【０１２０】
ステップ９０４に代わるステップとして、測定設定情報に含まれる測定タイプ指示、制限なしの測定／制限付きの測定／両方の測定、または、測定タイプ指示なし、ｍｅａｓｔｙｐｅ  ＥＮＵＭＥＲＡＴＥＤ  ｛ｓｐｅｃｉｆｉｃｍｅａｓ，ｒｅｇｕｌａｒｍｅａｓ，．．．，ｂｏｔｈ｝に応じて報告タイプを構成する。デフォルトで、制限なしの測定だけが実行される。
【０１２１】
ＵＥによって受信されたシグナリングが制限付きの測定および制限なしの測定が共に必要とされることを指示する場合、特定のリソースの指定されたリソースブロックに応じた制限付きの測定および制限なしの測定が実行され、制限付きの測定がＵＥのため構成される場合、ＵＥのＲＬＭ／ＣＳＩの測定は、制限付きの測定に対応する測定だけである。
【０１２２】
９０５：ＵＥは測定結果を報告する。
【０１２３】
ＵＥは、特定のリソースの指定されたリソースブロックに応じて実行された測定の測定結果だけを報告する。測定結果は、測定タイプによって識別されることがあり、もしくは、特定のリソースの指定されたリソースブロックに応じて実行された測定の結果は、新しいイベントタイプによって識別され、または、ＵＥは、特定のリソースの指定されたリソースブロックに応じて実行された測定の結果と制限なしの測定の結果とを報告する。
【０１２４】
本実施形態では、侵害セルのｅＮＢ内の特定のＵＥは、開始指示を受信すると測定を実行し、ハンドオーバーの基礎として測定結果を報告し、ＵＥから測定報告を受信した後、侵害セルのｅＮＢは、受害セルのｅＮＢへのハンドオーバーを決定する。
【０１２５】
図１０は、本発明の第３の実施形態によって侵害セル内のＵＥがどのように測定結果を報告するかを示すシグナリング図である。シグナリングフローは以下を含む。
【０１２６】
１００１：侵害セルのｅＮＢは、特定のリソース割り当てアルゴリズムに応じて特定のリソースの割り当てを決定する。
【０１２７】
１００２：ブロードキャストメッセージは、ＵＥに送信され、このブロードキャストメッセージは、侵害セルのｅＮＢの制限付きの測定の測定リソースに関する情報を搬送し、ＲＳＲＱ−ｔｈｒｅｓｈｏｌｄのような干渉閾値を搬送する。
【０１２８】
侵害セルのｅＮＢは、干渉レベルを表す（ＲＳＲＱ−ｍｅａｓのような）値に応じてＵＥにシグナリングを送信するか否かを決定することがあり、この干渉レベルを表す値は、ＵＥにより実行される制限なしの測定を通じて取得される。
【０１２９】
１００３：侵害セルのｅＮＢは、制限なしの測定設定情報をＵＥに送信する。
【０１３０】
ＵＥが上記メッセージを表示するとき、制限付きのリソース設定および干渉閾値は、ＵＥの変数の中に存在し続け、制限付きのリソース設定および干渉閾値が後続のシステムメッセージの中で更新された後に更新される。ＵＥは、干渉レベル、たとえば、ＲＳＲＱ−ｍｅａｓを表す値を取得するために制限なしの測定を実行する。
【０１３１】
測定値ＲＳＲＱ−ｍｅａｓがＲＳＲＱ−ｔｈｒｅｓｈｏｌｄ以上である場合、ＵＥは、やはり制限なしの測定を実行し、測定値ＲＳＲＱ−ｍｅａｓがＲＳＲＱ−ｔｈｒｅｓｈｏｌｄ未満である場合、ＵＥのＲＬＭ／ＣＳＩは、特定のリソースの指定されたリソースブロックに応じて測定される。（ＲＳＲＰ／ＲＳＲＱのような）ＲＲＭ測定に対し、ＵＥは、特定のリソースの指定されたリソースブロックに応じて対応する測定だけを実行し、または、特定のリソースの指定されたリソースブロックに応じた測定と制限なしの測定とを実行する。
【０１３２】
１００４：ＵＥは測定結果を報告する。
【０１３３】
ＵＥは、特定のリソースの指定されたリソースブロックに応じて実行された測定の測定結果だけを報告する。測定結果は、測定タイプによって識別されることがあり、もしくは、特定のリソースの指定されたリソースブロックに応じて実行された測定の結果は、新しいイベントタイプによって識別され、または、ＵＥは、特定のリソースの指定されたリソースブロックに応じて実行された測定の結果と制限なしの測定の結果とを報告する。
【０１３４】
本実施形態では、侵害セルのｅＮＢ内のＵＥは、干渉閾値を使用することにより測定を実行し、ハンドオーバーの基礎として測定結果を報告し、ＵＥから測定報告を受信した後、侵害セルのｅＮＢは、受害セルのｅＮＢへのハンドオーバーを決定する。
【０１３５】
図１１は、本発明の第４の実施形態によって侵害セル内のＵＥがどのように測定結果を報告するかを示すシグナリング図である。シグナリングフローは以下を含む。
【０１３６】
１１０１：侵害セルのｅＮＢは、特定のリソース割り当てアルゴリズムに応じて特定のリソースの割り当てを決定する。
【０１３７】
１１０２：ブロードキャストメッセージがＵＥに送信され、このブロードキャストメッセージは、侵害セルのｅＮＢの制限付きの測定の測定リソース情報を搬送する。
【０１３８】
１００３：侵害セルのｅＮＢは、制限なしの測定設定情報をＵＥに送信する。
【０１３９】
１１０４：侵害セルのｅＮＢによってＵＥに送信されるシグナリングは、ＲＳＲＱ−ｔｈｒｅｓｈｏｌｄのような干渉閾値を搬送する。
【０１４０】
侵害セルのｅＮＢは、干渉レベルを表すＲＳＲＱ−ｍｅａｓのような値に応じてシグナリングをＵＥに送信すべきか否かを決定することがあり、この干渉レベルを表す値は、ＵＥによって実行される制限なしの測定を通じて取得される。干渉は、異なるＵＥの間で変化することがある。
【０１４１】
ＵＥが上記メッセージを表示するとき、制限付きのリソース設定および干渉閾値は、ＵＥの変数の中に存在し続け、制限付きのリソース設定および干渉閾値が後続のシステムメッセージの中で更新された後に更新される。ＵＥが受害セルのｅＮＢからＲＳＲＱ−ｔｈｒｅｓｈｏｌｄのような干渉閾値を受信する場合、ＵＥは、干渉レベル、たとえば、ＲＳＲＱ−ｍｅａｓを表す値を取得するために、制限なしの測定を実行する。
【０１４２】
測定値ＲＳＲＱ−ｍｅａｓがＲＳＲＱ−ｔｈｒｅｓｈｏｌｄ以上である場合、ＵＥはやはり制限なしの測定を実行する。
【０１４３】
測定値「ＲＳＲＱ−ｍｅａｓ」がＲＳＲＱ−ｔｈｒｅｓｈｏｌｄ未満である場合、ＵＥのＲＬＭ／ＣＳＩは、特定のリソースの指定されたリソースブロックに応じて測定される。（ＲＳＲＰ／ＲＳＲＱのような）ＲＲＭ測定に対し、ＵＥは、特定のリソースの指定されたリソースブロックに応じた対応する測定だけを実行するか、または、特定のリソースの指定されたリソースブロックに応じた測定と制限なしの測定とを実行する。
【０１４４】
１１０５：ＵＥは測定結果を報告する。
【０１４５】
ＵＥは、特定のリソースの指定されたリソースブロックに応じて実行された測定の測定結果だけを報告する。測定結果は、測定タイプによって識別されることがあり、もしくは、特定のリソースの指定されたリソースブロックに応じて実行された測定の結果は、新しいイベントタイプによって識別され、または、ＵＥは、特定のリソースの指定されたリソースブロックに応じて実行された測定の結果と、制限なしの測定の結果とを報告する。
【０１４６】
本実施形態では、侵害セルのｅＮＢの特定のＵＥは、干渉閾値を使用することにより測定を実行し、ハンドオーバーの基礎として測定結果を報告し、ＵＥから測定報告を受信した後、侵害セルのｅＮＢは、受害セルのｅＮＢへのハンドオーバーを決定する。
【０１４７】
本発明の実施形態は、侵害セル内のＵＥがどのようにｅＮＢを選択するかに関する手順を提供する。この手順は、侵害セルのｅＮＢが特定のリソース割り当てアルゴリズムに応じて特定のリソースの割り当てを決定することを含む。ブロードキャストメッセージは、ＵＥに送信され、このブロードキャストメッセージは、侵害セルのｅＮＢの制限付きの測定の測定リソースに関する情報を搬送し、ＲＳＲＱ−ｔｈｒｅｓｈｏｌｄのような干渉閾値を搬送する。侵害セルのｅＮＢのネットワークは、ＵＥに応じて制限なしの測定を実行することがあり、干渉レベル、たとえば、ＲＳＲＱ−ｍｅａｓを表す値を取得することがある。侵害セルのｅＮＢは、制限なしの測定設定情報をＵＥに送信する。ＵＥがブロードキャストメッセージを表示するとき、制限付きの測定の測定リソース情報および干渉閾値は、ＵＥの変数の中に存在し続け、制限付きのリソース設定および干渉閾値が後続のシステムメッセージの中で更新された後に更新される。ＵＥは、干渉レベル、たとえば、ＲＳＲＱ−ｍｅａｓを表す値を取得するために制限なしの測定を実行する。測定値ＲＳＲＱ−ｍｅａｓがＲＳＲＱ−ｔｈｒｅｓｈｏｌｄ以上である場合、ＵＥはやはり制限なしの測定を実行し、測定値ＲＳＲＱ−ｍｅａｓがＲＳＲＱ−ｔｈｒｅｓｈｏｌｄ未満である場合、ＵＥのＲＳＲＱは、特定のリソースの指定されたリソースブロックに応じて測定される。ＵＥがセルのｅＮＢを再選択する間に、ＵＥは、特定のリソースの指定されたリソースブロックに応じて実行された測定の結果をＲＲＣ層に報告し、セルのｅＮＢを選択する基準を評価する。
【０１４８】
本発明の実施形態は、受害セル内のＵＥがどのようにｅＮＢを選択するかに関する手順を提供する。この手順は、侵害セルのｅＮＢが特定のリソース割り当てアルゴリズムに応じて特定のリソースの割り当てを決定することを含む。侵害セルのｅＮＢは、割り当てられた特定のリソースの設定情報を受害セルのｅＮＢと交換し、受害セルのｅＮＢは、ブロードキャストメッセージをＵＥに送信し、このブロードキャストメッセージは、制限付きの測定の測定リソース情報として侵害セルのｅＮＢの割り当てられた特定のリソースの設定情報を搬送し、このブロードキャストメッセージは、ＲＳＲＱ−ｔｈｒｅｓｈｏｌｄのような干渉閾値をさらに搬送する。ＵＥは、制限なしの測定を実行し、干渉レベル、たとえば、ＲＳＲＱ−ｍｅａｓを表す値を取得する。ＵＥがブロードキャストメッセージを表示するとき、制限付きの測定の測定リソース情報および干渉閾値は、ＵＥの変数の中に存在し続け、制限付きのリソース設定および干渉閾値が後続のシステムメッセージの中で更新された後に更新される。ＵＥは、干渉レベル、たとえば、ＲＳＲＱ−ｍｅａｓを表す値を取得するために制限なしの測定を実行する。測定値ＲＳＲＱ−ｍｅａｓがＲＳＲＱ−ｔｈｒｅｓｈｏｌｄ以上である場合、ＵＥは、やはり制限なしの測定を実行し、測定値ＲＳＲＱ−ｍｅａｓがＲＳＲＱ−ｔｈｒｅｓｈｏｌｄ未満である場合、ＵＥのＲＳＲＱは、特定のリソースの指定されたリソースブロックに応じて測定される。ＵＥがセルのｅＮＢを再選択する間に、ＵＥは、特定のリソースの指定されたリソースブロックに応じて実行された測定の結果をＲＲＣ層に報告し、セルのｅＮＢを選択する基準を評価する。セルのｅＮＢの選択基準：システムメッセージの中でＵＥによって取得される制限付きの測定の測定リソース情報は、ＩＣＩＣのため使用されるリソースまたはリソースの一部分でもよく、ＲＳＲＱ値のような干渉閾値でもよい。デフォルトで、ＵＥは、制限なしの測定だけを実行し、干渉レベルを表す干渉値を干渉閾値と比較し、この干渉値は、制限なしの測定を通じて取得される。干渉値が干渉閾値以上である場合、ＵＥは、測定設定情報に応じた対応する制限なしの測定を実行し、干渉値が干渉閾値未満である場合、ＵＥは、割り当てられた特定のリソースの設定情報に応じた制限付きの測定を開始する。代替的に、干渉値が干渉閾値未満である場合、ＵＥは、割り当てられた特定のリソースの設定情報に応じて制限付きの測定を開始し、制限なしの測定中に取得される干渉値が干渉閾値以上になるまで、同時に制限なしの測定を継続する。
【０１４９】
上記実施形態では、干渉を受けるＵＥは、測定を正確に実行し、ハンドオーバーの基礎として測定結果を報告することが可能である。測定報告を受信した後、侵害セルのｅＮＢは、受害セルのｅＮＢにハンドオーバーすることを決定する。ハンドオーバーコマンドは、所望により、受害セルのｅＮＢへの通知を搬送する。この通知は、ＵＥをスケジューリングするモードがｅＩＣＩＣの強化されたスケジューリングモードであることを指示し（すなわち、スケジューリングが侵害セルのｅＮＢ上の干渉調整のため設計されたリソースだけで実行される）、または、決定の基礎として役立つ測定結果が制限付きのリソースの測定から派生することを指示する。以上の技術的解決手法は、以下の問題を解決する。ＵＥが干渉を受けるとき、ＵＥは、制限なしの測定だけを実行し（測定されたセルの品質が非常に低いと仮定され、受害セルのｅＮＢより良好なｅＮＢが利用できず、または、オペレータは、ＵＥが受害セルのｅＮＢを選ぶことを期待する）、制限なしの測定の結果を取得し、この結果を報告する。この場合、ＵＥが受害セル内に位置している場合、ＵＥが無駄にハンドオーバーし、または、ＵＥが特定のリソースだけを測定する場合、ネットワークは、干渉調整を実行できず、ＵＥが侵害セル内のｅＮＢに位置している場合、ＵＥは、受害セル内のｅＮＢにハンドオーバーする機会がなく、または、ＵＥが特定のリソースだけを測定する場合、非常に多くのＵＥが受害セルのｅＮＢにハンドオーバーし、このことは、受害セルのｅＮＢの輻輳につながる。
【０１５０】
上記の方法実施形態に対応して、干渉調整のための測定装置が本発明の実施形態において提供される。図１２に示されるように、この装置は、
測定設定情報を取得し、制限付きの測定の測定リソース情報を取得するために構成されている取得ユニット１２１と、
測定設定情報と制限付きの測定の測定リソース情報とに応じて測定を実行し、測定結果を取得するために構成されている測定ユニット１２２と、
測定結果を報告するために構成されている報告ユニット１２３と、
を含む。
【０１５１】
所望により、取得ユニット１２１は、制限付きの測定の測定リソース情報を取得するために具体的に構成され、制限付きの測定リソース情報は、時間ドメイン、周波数ドメイン、空間ドメイン、符号ドメインに関して測定されたリソースを制限し、制限付きの測定の測定リソース情報は、ＩＣＩＣのため使用されるリソース、または、リソースの一部分を指示し、ブロードキャストメッセージまたはシグナリングを通じて取得される。取得ユニット１２１は、測定設定情報を取得するために具体的に構成され、この測定設定情報は、制限なしの測定の設定情報と、制限付きの測定の測定リソース情報に対応する特定のリソースを測定する指示および制限なしの測定指示とを含み、制限なしの測定の設定情報と、制限付きの測定リソース情報に対応する特定のリソースを測定する指示または制限なしの測定指示とを含み、ブロードキャストメッセージまたはシグナリングを通じて取得され、測定指示は、開始、停止を含む。取得ユニット１２１は、測定設定情報を取得するために具体的に構成され、この測定設定情報は、制限なしの測定の設定情報と、対応するタイプの測定を実行するための制限付きの測定指示および制限なしの測定指示とを含み、制限なしの測定の設定情報と、対応するタイプの測定を実行するための制限なしの測定指示または制限なしの測定指示とを含み、ブロードキャストメッセージまたはシグナリングを通じて取得され、測定指示は、開始、停止の指示である。測定ユニット１２２によって取得される測定結果は、測定タイプまたはイベントタイプによって識別される。
【０１５２】
所望により、取得ユニット１２１は、ブロードキャストメッセージまたはシグナリングを通じて制限付きの測定の測定リソース情報を取得する間に、干渉閾値をさらに取得する。所望により、測定ユニット１２２は、測定設定情報に応じて対応する制限なしの測定を実行し、干渉レベルを表す干渉値を取得し、干渉値を干渉閾値と比較するために具体的に構成され、測定ユニット１２２は、干渉値が干渉閾値以上である場合、測定設定情報に応じて対応する制限なしの測定を実行し、制限なしの測定の測定結果を取得し、制限なしの測定の測定結果をサービングセルの基地局に報告し、測定ユニット１２２は、干渉値が干渉閾値未満である場合、制限付きの測定の測定リソース情報に対応する特定のリソースの測定を開始し、特定のリソースの測定の測定結果を取得し、測定結果が報告ユニット１２３によって報告され、または、測定ユニット１２２は、対応する制限なしの測定を実行し、制限なしの測定の測定結果を取得し、その一方で、制限付きの測定の測定リソース情報に対応する特定のリソースを測定し、特定のリソースの測定の結果を取得し、報告ユニット１２３が制限なしの測定の結果および特定のリソースの測定の結果をサービングセルの基地局に報告し、または、測定ユニット１２２は、対応する制限なしの測定を実行し、制限なしの測定の結果を取得し、その一方で、制限付きの測定の測定リソース情報に対応する特定のリソースを測定し、特定のリソースの測定の結果を取得するが、報告ユニット１２３は、干渉値が干渉閾値以上になるまで、特定のリソースの測定の結果だけをサービングセルの基地局に報告し、ＵＥが制限付きの測定の測定リソース情報を受信するとすぐに、制限付きの測定を開始し、その一方で、制限なしの測定を継続する。
【０１５３】
所望により、取得ユニット１２１は、受害セル内に位置しているＵＥを通じて受害セルの基地局から測定設定情報を取得し、受害セルの基地局から制限なしの測定の測定リソース情報を取得するために具体的に構成され、または、侵害セル内に位置しているＵＥは、侵害セルの基地局から測定設定情報を取得し、侵害セルの基地局から制限付きの測定の測定リソース情報を取得し、測定設定情報および測定リソース情報は、近傍受害セルの測定に適用可能である。所望により、報告ユニット１２３によって報告された測定結果を受信した後、侵害セルの基地局は、測定結果に応じて受害セルの基地局にハンドオーバーすることを決定し、ＵＥをスケジューリングするモードを受害セルの基地局に指示する。
【０１５４】
以上の装置実施形態では、干渉を受けるＵＥは、正確に測定を実行し、ハンドオーバーの基礎として測定結果を報告することが可能である。測定報告を受信した後、侵害セルのｅＮＢは、受害セルのｅＮＢにハンドオーバーすることを決定する。ハンドオーバーコマンドは、所望により、受害セルのｅＮＢへの通知を搬送することがある。この通知は、ＵＥをスケジューリングするモードがｅＩＣＩＣの強化されたスケジューリングモードであることを指示し（すなわち、スケジューリングは、侵害セルのｅＮＢ上の干渉調整のため設計されたリソースについてしか実行されない）、または、決定の基礎として役立つ測定結果が制限付きのリソースの測定から派生することを指示する。
【０１５５】
上記の方法実施形態および装置実施形態に対応して、干渉調整のための送信システムが本発明の実施形態において提供される。図１３に示されるように、このシステムは、受害セルのｅＮＢ  １０と、侵害セルのｅＮＢ  １１とを含む。受害セルのｅＮＢ  １０は、受害セルのｅＮＢ  １０が侵害セルのｅＮＢ  １１から干渉を受けるとき、ｅＩＣＩＣ要求を侵害セルのｅＮＢ  １１に送信するために構成され、侵害セルのｅＮＢ  １１は、ｅＩＣＩＣ要求に応じて受害セルのｅＮＢ  １０と侵害セルのｅＮＢ  １１との間でｅＩＣＩＣに適用されるサブフレーム設定情報を決定し、制限付きの測定の測定リソース情報として、決定されたサブフレーム設定情報を受害セルのｅＮＢ  １０に送信するために構成されている。
【０１５６】
所望により、侵害セルのｅＮＢ  １１は、受害セルのｅＮＢ  １０がｅＩＣＩＣ要求を侵害セルのｅＮＢ  １１に送信する前に、ｅＩＣＩＣのための利用可能なサブフレーム設定情報を受害セルのｅＮＢ  １０に送信する。侵害セルのｅＮＢ  １１は、ｅＩＣＩＣのための侵害セルのｅＮＢ  １１で利用可能なサブフレーム設定情報に応じて、そして、ｅＩＣＩＣ要求の中で搬送されるｅＩＣＩＣサブフレーム設定情報に応じて、受害セルのｅＮＢ  １０と侵害セルのｅＮＢ  １１との間に適用されるｅＩＣＩＣのためのサブフレーム設定情報を決定するために具体的に構成されている。
【０１５７】
場合によっては、受害セルのｅＮＢ  １０がｅＩＣＩＣ要求を侵害セルのｅＮＢ  １１に送信する前に、メッセージが受害セルのｅＮＢ  １０と侵害セルのｅＮＢ  １１との間で送信され、このメッセージは、相手方に対するｅＩＣＩＣの局所的な能力を指示する。受害セルのｅＮＢ  １０が侵害セルのｅＮＢ  １１によって送信され、ｅＩＣＩＣに適用されることが決定されたサブフレーム設定情報を受信した後、受害セルのｅＮＢ  １０は、ｅＩＣＩＣのための確認された有用なサブフレーム設定情報を侵害セルのｅＮＢ  １１に送信することがある。目的は、無線リソースを使用する同期を維持することである。受害セルのｅＮＢが侵害セルのｅＮＢによって送信された設定情報を受信できない場合、侵害セルのｅＮＢは、確認の欠如に気付くことがなく、このことは、無線リソースの莫大な浪費をもたらす。
【０１５８】
侵害セルのｅＮＢ  １１によって提出された測定報告が事前に設定された閾値を超えることを検出したとき、受害セルのｅＮＢ  １０は、受害セルのｅＮＢ  １０が侵害セルのｅＮＢ  １１から干渉を受けることを確認する。ｅＩＣＩＣに適用されることが決定されたサブフレーム設定情報は、侵害セルのｅＮＢ  １１から受害セルのｅＮＢ  １０に送信され、サブフレーム設定を使用する開始時間を含むことがある。受害セルのｅＮＢ  １０によって侵害セルのｅＮＢ  １１に送信されるｅＩＣＩＣ要求は、干渉レベルの指示を搬送する。干渉レベルは、高レベル、中レベル、または、低レベルでもよい。干渉レベルに依存して、侵害セルのｅＮＢは、干渉を低減するために送信電力を低減するか、または、サブフレームを完全にサイレント状態にすることがある。
【０１５９】
上記のシステム実施形態では、干渉を受けるＵＥは、測定を正確に実行し、ハンドオーバーの基礎として測定結果を報告することが可能である。測定報告を受信した後、侵害セルのｅＮＢは、受害セルのｅＮＢにハンドオーバーすることを決定する。ハンドオーバーコマンドは、所望により、受害セルのｅＮＢに通知を搬送する。この通知は、ＵＥをスケジューリングするモードがｅＩＣＩＣの強化されたスケジューリングモードであることを指示し（すなわち、スケジューリングが侵害セルのｅＮＢ上の干渉調整のため設計されたリソースについてしか実行されない）、または、決定の基礎として役立つ測定結果が制限付きのリソースの測定から派生することを指示する。
【０１６０】
当業者は、いずれかの上記実施形態において指定された方法のステップの全部または一部が関連するハードウェアに指令するプログラムによって実施されてもよいことを理解すべきである。プログラムは、ＲＯＭ／ＲＡＭ、磁気ディスク、または、ＣＤ−ＲＯＭのようなコンピュータ読み取り可能な記憶媒体に記憶されてもよい。プログラムが動くとき、プログラムは、前述のステップの全部または一部を実行する。
【０１６１】
上記の開示された事項は、本発明の実施形態の目的、技術的解決手法および利点である。発明は、いくつかの典型的な実施形態を通じて説明されているが、発明は、このような実施形態に限定されることがない。当業者が発明の趣旨および範囲から逸脱することなく発明を変更および変形できることは明らかである。発明は、下記の請求項または請求項の均等物によって定められる保護の範囲に入るという条件でこれらの変更および変形を対象とすることが意図されている。
【図１】
2013540389.tif 000003
【図２】
2013540389.tif 000004
【図３】
2013540389.tif 000005
【図４Ａ】
2013540389.tif 000006
【図４Ｂ】
2013540389.tif 000007
【図５】
2013540389.tif 000008
【図６】
2013540389.tif 000009
【図７】
2013540389.tif 000010
【図８】
2013540389.tif 000011
【図９】
2013540389.tif 000012
【図１０】
2013540389.tif 000013
【図１１】
2013540389.tif 000014
【図１２】
2013540389.tif 000015
【図１３】
2013540389.tif 000016
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
測定設定情報を取得し、制限付きの測定の測定リソース情報を取得するステップと、
前記測定設定情報および前記制限付きの測定の測定リソース情報に応じて測定を実行し、測定結果を取得するステップと、
前記測定結果を報告するステップと、
を含む、干渉調整のための測定方法。
【請求項２】
前記制限付きの測定の測定リソース情報は、時間ドメイン、周波数ドメイン、空間ドメインまたは符号ドメインのうちの少なくとも１つに関して、測定されたリソースを制限するために使用される、請求項１に記載の方法。
【請求項３】
前記制限付きの測定の測定リソース情報は、セル間干渉調整ＩＣＩＣのため使用されるリソースであるか、または、ＩＣＩＣのため使用される前記リソースの一部分である、請求項１または２に記載の方法。
【請求項４】
前記測定設定情報を取得し、前記制限付きの測定の前記測定リソース情報を取得するステップは、
前記測定設定情報および前記制限付きの測定の前記測定リソース情報が近傍受害セルの測定に適用可能であって、受害セル内に位置しているユーザ機器によって、前記受害セルの基地局から測定設定情報を取得し、前記受害セルの前記基地局から前記制限付きの測定の測定リソース情報を取得し、または、侵害セル内に位置しているユーザ機器によって、前記侵害セルの前記基地局から前記測定設定情報を取得し、前記侵害セルの前記基地局から前記制限付きの測定の測定リソース情報を取得するステップを含む、請求項１から３のいずれかに記載の方法。
【請求項５】
前記侵害セル内に位置しているユーザ機器によって、前記侵害セルの前記基地局から前記測定設定情報を取得し、前記侵害セルの前記基地局から前記制限付きの測定の前記測定リソース情報を取得するステップの後に、
前記侵害セルの前記基地局が前記測定結果に応じて前記受害セルの前記基地局へのハンドオーバーを決定し、前記受害セルの前記基地局に前記侵害セルの前記基地局の干渉調整のための前記リソースだけについてスケジューリングすることを指令するように、前記侵害セル内に位置している前記ユーザ機器によって、前記近傍受害セルを測定する前記測定結果を前記侵害セルの前記基地局に報告するステップをさらに含む、請求項４に記載の方法。
【請求項６】
測定設定情報を取得し、制限付きの測定の測定リソース情報を取得するために構成されている取得ユニットと、
前記測定設定情報および前記制限付きの測定の測定リソース情報に応じて測定を実行し、測定結果を取得するために構成されている測定ユニットと、
前記測定結果を報告するために構成されている報告ユニットと、
を備える、干渉調整のための測定装置。
【請求項７】
前記制限付きの測定の測定リソース情報は、時間ドメイン、周波数ドメイン、空間ドメインおよび符号ドメインのうちの少なくとも１つに関して、測定されたリソースを制限するために使用される、請求項６に記載の装置。
【請求項８】
前記制限付きの測定の測定リソース情報は、セル間干渉調整ＩＣＩＣのため使用されるリソースであるか、または、ＩＣＩＣのため使用される前記リソースの一部分である、請求項６または７に記載の装置。
【請求項９】
前記取得ユニットは、前記受害セルの前記基地局から測定設定情報を取得し、前記受害セルの前記基地局から前記制限付きの測定の測定リソース情報を取得するように構成されているか、または、前記取得ユニットは、前記侵害セルの前記基地局から測定の測定設定情報を取得し、前記侵害セルの前記基地局から前記制限付きの測定の測定リソース情報を取得し、近傍受害セルを測定するために前記測定設定情報および前記測定リソース情報を適用するために構成されている、請求項６から７のいずれかに記載の装置。
【請求項１０】
測定設定情報および前記制限付きの測定の測定リソース情報に応じてユーザ機器に測定を実行させるよう、前記測定設定情報と、前記制限付きの測定の測定リソース情報と、を前記ユーザ機器に送信するための手段と、
前記測定結果を前記ユーザ機器から受信するための手段と、
を備える、干渉調整のための測定装置。
【請求項１１】
前記制限付きの測定の測定リソース情報は、時間ドメイン、周波数ドメイン、空間ドメイン、または符号ドメインに関して、測定されたリソースを制限するために使用される、請求項１０に記載の装置。
【請求項１２】
前記制限付きの測定の測定リソース情報は、セル間干渉調整ＩＣＩＣのため使用されるリソースであるか、または、ＩＣＩＣのため使用される前記リソースの一部分である、請求項１０または１１に記載の装置。
【請求項１３】
前記測定装置は受害セルの基地局であり、
前記測定設定情報および前記制限付きの測定の測定リソース情報を前記ユーザ機器に送信する手段は、前記測定設定情報および前記制限付きの測定の測定リソース情報を前記受害セル内に位置している前記ユーザ機器に送信する手段を備える、請求項１０から１２のいずれかに記載の装置。
【国際調査報告】
2013540389.tif 000017
2013540389.tif 000018
2013540389.tif 000019
2013540389.tif 000020